(57)【特許請求の範囲】
【請求項１】
（ａ）洗剤組成物の約０．０５〜約１０重量％の
Ｒ1−（ＣＨ2）2−ＮＨ2
Ｒ1−Ｏ−（ＣＨ2）3−ＮＨ2
Ｒ1−Ｃ（Ｏ）−ＮＨ−（ＣＨ2）3−Ｎ（ＣＨ3）2
Ｒ1−Ｎ（ＣＨ2−ＣＨ（ＯＨ）−Ｒ5）2
（式中、Ｒ1はＣ6〜Ｃ12アルキル基であり、Ｒ5はＨまたはＣＨ3である）
から選ばれる、アミン洗剤界面活性剤、
（ｂ）前記組成物の約０．００００１〜約５重量％の、ドデカヒドロ−３ａ，６，６，９Ａ−テトラメチルナフト（２，１−Ｂ）フラン、３，３−ジメチル−５−（２，２，３−トリメチル−３−シクロペンテン−１−イル）−４−ペンテノール、メチルヨノン、イソ酪酸シス−３−ヘキセニル、ウンデカラクトン、フェニル酢酸フェニルエチル、ｏ−ヒドロキシ安息香酸ヘキシル、およびそれらの混合物からなる群から選ばれる香料成分、および
（ｃ）前記組成物の約１〜約９５重量％の、陰イオン界面活性剤、非イオン界面活性剤、両性界面活性剤、陽イオン界面活性剤、双性界面活性剤、およびそれらの混合物から選ばれる、他の非アミン洗剤界面活性剤
を含むことを特徴とする、液体洗濯洗剤組成物。
【請求項２】
プロテアーゼ、リパーゼ、アミラーゼ、セルラーゼ、ペルオキシダーゼ、およびそれらの混合物からなる群から選ばれる、性能増進量の洗剤相容性酵素を更に含む、請求項１に記載の組成物。
【請求項３】
前記アミンが、下記の
Ｒ1−Ｃ（Ｏ）−ＮＨ−（ＣＨ2）3−Ｎ（ＣＨ3）2
（式中、Ｒ1はＣ8〜Ｃ12アルキルである）
から選ばれる、請求項１に記載の液体洗剤組成物。
【請求項４】
前記アミンが、オクチルアミン、ヘキシルアミン、デシルアミン、ドデシルアミン、Ｃ8〜Ｃ12ビス（ヒドロキシエチル）アミン、Ｃ8〜Ｃ12ビス（ヒドロキシイソプロピル）アミン、およびＣ8〜Ｃ12アミド−プロピルジメチルアミン、および混合物からなる群から選ばれる、請求項１に記載の液体洗剤組成物。
【請求項５】
ビルダーおよび他の通常の洗剤成分を更に含む、請求項４に記載の液体洗剤組成物。
【請求項６】
前記香料成分が、前記アミン界面活性剤の悪臭を減少させる、請求項１に記載の洗剤組成物。
【発明の詳細な説明】
技術分野
本発明は、アミン洗剤界面活性剤およびアミンの悪臭を減少させる特に選ばれた香料成分を含有する洗濯洗剤組成物に関する。
背景技術
特定のアミンが有効な洗剤界面活性剤であることは以前から知られている。しかしながら、多くのアミンと関連づけられる問題は、アミンを含有する洗剤組成物中およびアミン含有洗剤で洗浄された布帛（布地）中にさえ残存する魚に似ている魅力のないにおいである。
特定量の特に選ばれた香料成分を洗濯洗剤に配合することは、この悪臭を顕著に減少するか排除することができることが今や見出された。
発明の開示
本発明は、
（ａ）洗剤組成物の約０．０５〜約１０重量％のアミン洗剤界面活性剤、
（ｂ）この組成物の約０．００００１〜約５重量％の、下記の特性
（ｉ）分配係数値（ｃｌｏｇＰ）２．０以上、
（ii）２００°Ｆより高い沸点、および
（iii）低いにおい検出閾値（ＯＤＴ）約３００ＰＰＢ以下
を有するように選ばれた香料成分および
（ｃ）この組成物の約１〜約９５重量％の、陰イオン界面活性剤、非イオン界面活性剤、両性界面活性剤、陽イオン界面活性剤、双性界面活性剤、およびそれらの混合物から選ばれる、他の非アミン洗剤界面活性剤
を含むことを特徴とする、洗濯洗剤組成物に関する。
これらの香料成分は、アミン界面活性剤と関連づけられる悪臭を減少させるように作用する。好ましくは、香料成分は、ドデカヒドロ−３ａ，６，６，９Ａ−テトラメチルナフト（２，１−Ｂ）フラン、３，３−ジメチル−５−（２，２，３−トリメチル−３−シクロペンテン−１−イル）−４−ペンテノール、メチルヨノン、イソ酪酸シス−３−ヘキセニル、ウンデカラクトン、フェニル酢酸フェニルエチル、ｏ−ヒドロキシ安息香酸ヘキシル、およびそれらの混合物からなる群から選ばれる。
本発明の組成物は、好ましくは、プロテアーゼ、リパーゼ、アミラーゼ、セルラーゼ、ペルオキシダーゼ、およびそれらの混合物からなる群から選ばれる性能増進量の洗剤相容性酵素を更に含む。
ここで使用するすべての部、％および比率は、特に断らない限り、重量％として表現する。引用のすべての文書は、関連部分で、ここに参考文献として編入する。
発明を実施するための最良の形態
本発明の洗濯洗剤組成物は、アミン界面活性剤と関連づけられる悪臭を減少するように作用する有効量の香料成分を含む。「有効量」とは、洗剤組成物のアミン型においを減少するのに十分な量を意味する。好ましくは、本発明の洗剤組成物は、特に選ばれた香料成分約０．００００１〜約５重量％、より好ましくは約０．００００１〜約２重量％、最も好ましくは約０．０００１〜約０．５重量％を含むであろう。アミン悪臭を減少することが見出された香料成分は、低い水中溶解度を有するものであり、即ち、水／オクタノール系において２５℃および７６０mmＨｇの標準状態で分配係数値（ｃｌｏｇＰ）２．０以上を有する。追加的に、本発明の香料成分は、２００°Ｆより高い沸点を有しているべきである。また、香料成分は、低いにおい検出閾値（ＯＤＴ）約３００ＰＰＢ以下、好ましくは約０．１ＰＰＢ以下を有するという独特の性質を有する。これらのパラメーターは、「においおよび味閾値データの編纂（ＡＳＴＭ  ＤＳ４８Ａ）」、Ｆ．Ａ．ファザラリ編、ニューヨーク州ホップウェル・ジャンクションのインターナショナル・ビジネス・マシーンズで十分に説明されている。
好ましい香料成分の例は、ドデカヒドロ−３ａ，６，６，９Ａ−テトラメチルナフト（２，１−Ｂ）フラン、３，３−ジメチル−５−（２，２，３−トリメチル−３−シクロペンテン−１−イル）−４−ペンテノール、メチルヨノン、イソ酪酸シス−３−ヘキセニル、ウンデカラクトン、フェニル酢酸フェニルエチル、ｏ−ヒドロキシ安息香酸ヘキシル、およびそれらの混合物からなる群から選ばれるものである。
本発明の特に選ばれた香料成分は、洗濯洗剤組成物への添加前に一緒に混合することが好ましい。これらの香料成分は、組成物への添加前に他の香料成分と合わせてもよい。
これらの特に選ばれた香料成分を含有する香料は、好ましくは、最終粒状洗剤組成物上に噴霧するか、香料に悪影響を及ぼさない方法で最終液体洗濯洗剤に入れる。
アミン−特定のアミンは有効な界面活性剤であるが、十分な量で存在する時には、多くのものは、洗濯応用には望ましくなくさせる魅力のないアミン型悪臭を有する。本発明の洗剤組成物で使用するのに好適なアミンとしては、式
Ｒ１−Ｘ−（ＣＨ２）ｎ−Ｎ（Ｒ３）（Ｒ４）
〔式中、Ｒ１はＣ６〜Ｃ12アルキル基であり；ｎは約２〜約４であり、ＸはＮＨ、ＣＯＮＨ、ＣＯＯ、またはＯから選ばれるブリッジング基であり、またはＸは不在であることができ；Ｒ３およびＲ４は別個にＨ、Ｃ１〜Ｃ４アルキルまたは（ＣＨ２−ＣＨ２−Ｏ（Ｒ５））（式中、Ｒ５はＨまたはメチルである）から選ばれる〕
に係るものが挙げられる。
好ましいアミンとしては、下記のもの
Ｒ１−（ＣＨ２）２−ＮＨ２
Ｒ１−Ｏ−（ＣＨ２）３−ＮＨ２
Ｒ１−Ｃ（Ｏ）−ＮＨ−（ＣＨ２）３−Ｎ（ＣＨ３）２
Ｒ１−Ｎ（ＣＨ２−ＣＨ（ＯＨ）−Ｒ５）２
（式中、Ｒ１はＣ６〜Ｃ12アルキル基であり、Ｒ５はＨまたはＣＨ３である）
が挙げられる。
高度に好ましい態様においては、アミンは、式
Ｒ1−Ｃ（Ｏ）−ＮＨ−（ＣＨ２）３−Ｎ（ＣＨ３）２
（式中、Ｒ１はＣ８〜Ｃ12アルキルである）
によって記載される。
特に好ましいアミンとしては、オクチルアミン、ヘキシルアミン、デシルアミン、ドデシルアミン、Ｃ８〜Ｃ12ビス（ヒドロキシエチル）アミン、Ｃ８〜Ｃ12ビス（ヒドロキシイソプロピル）アミン、およびＣ８〜Ｃ12アミド−プロピルジメチルアミン、および混合物からなる群から選ばれるものが挙げられる。
本発明の洗濯洗剤組成物は、典型的には、アミン界面活性剤約０．５〜約１０重量％、好ましくは約１〜約５重量％を含む。
非アミン洗剤界面活性剤−広範囲の非アミン二次界面活性剤は、本発明の洗剤組成物で使用できる。「非アミン」とは、ここで洗剤組成物での使用と関連づけられる魅力のない「アミン」悪臭を有していないいかなる洗剤界面活性剤も意味する。それゆえ、非アミンのこの定義にはアミン型においを有していないアミンオキシドが包含される。
陰イオン界面活性剤、非イオン界面活性剤、両性界面活性剤および双性界面活性剤種類およびこれらの界面活性剤の種の典型的なリストは、ノリスに１９７２年５月２３日に発行の米国特許第３，６６４，９６１号明細書に与えられている。本発明の洗濯洗剤組成物は、典型的には、このような二次非アミン界面活性剤約１〜約９５重量％、好ましくは約３〜約４０重量％、より好ましくは約５〜約２５重量％を含む。
本発明で使用すべき１つの種類の好ましい陰イオン界面活性剤は、式ＲＯ（Ａ）ｍＳＯ３Ｍ〔式中、ＲはＣ10〜Ｃ24アルキル成分を有する非置換Ｃ10〜Ｃ24アルキルまたはヒドロキシアルキル基、好ましくはＣ12〜Ｃ18アルキルまたはヒドロキシアルキル、より好ましくはＣ12〜Ｃ15アルキルまたはヒドロキシアルキルであり、Ａはエトキシまたはプロポキシ単位であり、ｍは０より大きく、典型的には約０．５〜約６、より好ましくは約０．５〜約３であり、ＭはＨまたは、例えば、金属陽イオン（例えば、ナトリウム、カリウム、リチウム、カルシウム、マグネシウムなど）、アンモニウムまたは置換アンモニウム陽イオンであることができる陽イオンである〕の水溶性塩または酸であるアルキルアルコキシ化サルフェート界面活性剤である。アルキルエトキシ化サルフェート並びにアルキルプロポキシ化サルフェートは、ここで意図される。置換アンモニウム陽イオンの特定例としては、エタノール−、トリエタノール−、メチル−、ジメチル−、トリメチル−アンモニウム陽イオンおよび第四級アンモニウム陽イオン、例えば、テトラメチル−アンモニウムおよびジメチルピペリジニウム陽イオンおよびエチルアミン、ジエチルアミン、トリエチルアミンなどのアルキルアミンから誘導されるもの、それらの混合物などが挙げられる。例示の界面活性剤は、Ｃ12〜Ｃ15アルキルポリエトキシレート（１．０）サルフェート（Ｃ12〜Ｃ15Ｅ（１．０）Ｍ）、Ｃ12〜Ｃ15アルキルポリエトキシレート（２．２５）サルフェート（Ｃ12〜Ｃ15Ｅ（２．２５）Ｍ）、Ｃ12〜Ｃ15アルキルポリエトキシレート（３．０）サルフェート（Ｃ12〜Ｃ15Ｅ（３．０）Ｍ）、およびＣ12〜Ｃ15アルキルポリエトキシレート（４．０）サルフェート（Ｃ12〜Ｃ15Ｅ（４．０）Ｍ）（式中、Ｍはナトリウムおよびカリウムから好都合に選ばれる）である。
別の有用な好ましい種類の陰イオン界面活性剤は、アルキルサルフェート界面活性剤である。式ＲＯＳＯ３Ｍ〔式中、Ｒは好ましくはＣ８〜Ｃ18ヒドロカルビル、好ましくはＣ10〜Ｃ18アルキル成分を有するアルキルまたはヒドロキシアルキル、より好ましくはＣ12〜Ｃ15アルキルまたはヒドロキシアルキルであり、ＭはＨまたは陽イオン、例えば、アルカリ金属陽イオン（例えば、ナトリウム、カリウム、リチウム）、またはアンモニウムまたは置換アンモニウム（例えば、メチル−、ジメチル−、およびトリメチルアンモニウム陽イオンおよび第四級アンモニウム陽イオン、例えば、テトラメチル−アンモニウムおよびジメチルピペリジニウム陽イオン、およびエチルアミン、ジエチルアミン、トリエチルアミンなどのアルキルアミンから誘導される第四級アンモニウム陽イオン、およびそれらの混合物などである〕の水溶性塩または酸であるアルキルサルフェートが、特に好ましい。
使用できる他の好適な陰イオン界面活性剤は、アルキルエステルスルホネート界面活性剤、例えば、「ザ・ジャーナル・オブ・ジ・アメリカン・オイル・ケミスツ・ソサエティー」，５２（１９７５），pp．３２３−３２９に従ってガス状ＳＯ３でスルホン化するＣ８〜Ｃ20カルボン酸（即ち、脂肪酸）の線状エステルである。好適な出発物質としては、タロー、パーム油などから誘導されるような天然脂肪物質が挙げられるであろう。
特に洗濯応用に好ましいアルキルエステルスルホネート界面活性剤は、構造式
Ｒ３−ＣＨ（ＳＯ３Ｍ）−Ｃ（Ｏ）−ＯＲ４
（式中、Ｒ３はＣ８〜Ｃ20ヒドロカルビル、好ましくはアルキル、またはそれらの組み合わせであり、Ｒ４はＣ１〜Ｃ６ヒドロカルビル、好ましくはアルキル、またはそれらの組み合わせであり、Ｍはアルキルエステルスルホネートと水溶性塩を生成する陽イオンである）
のアルキルエステルスルホネート界面活性剤からなる。好適な塩形成陽イオンとしては、金属、例えば、ナトリウム、カリウムおよびリチウム、および置換または非置換アンモニウム陽イオン、例えば、モノエタノールアミン、ジエタノールアミン、およびトリエタノールアミンが挙げられる。好ましくは、Ｒ３はＣ10〜Ｃ16アルキルであり、Ｒ４はメチル、エチルまたはイソプロピルである。Ｒ３がＣ10〜Ｃ16アルキルであるメチルエステルスルホネートが、特に好ましい。
洗浄目的で有用な他の陰イオン界面活性剤も、本発明の洗濯洗剤組成物に配合できる。これらとしては、石鹸の塩（例えば、ナトリウム塩、カリウム塩、アンモニウム塩、および置換アンモニウム塩、例えば、モノエタノールアミン塩、ジエタノールアミン塩およびトリエタノールアミン塩を含めて）、Ｃ８〜Ｃ22第一級または第二級アルカンスルホネート、Ｃ８〜Ｃ24オレフィンスルホネート、例えば、英国特許第１，０８２，１７９号明細書に記載のようにアルカリ土類金属クエン酸塩の熱分解生成物のスルホン化によって製造されるスルホン化ポリカルボン酸、Ｃ８〜Ｃ24アルキルポリグリコールエーテルサルフェート（エチレンオキシド１０モルまでを含有）、アルキルグリセロールスルホネート、脂肪アシルグリセロールスルホネート、脂肪オレオイルグリセロールサルフェート、アルキルフェノールエチレンオキシドエーテルサルフェート、パラフィンスルホネート、アルキルホスフェート、イセチオネート、例えば、アシルイセチオネート、Ｎ−アシルタウレート、アルキルスクシナメートおよびスルホスクシネート、スルホスクシネートのモノエステル（特に飽和および不飽和Ｃ12〜Ｃ18モノエステル）、スルホスクシネートのジエステル（特に飽和および不飽和Ｃ６〜Ｃ12ジエステル）、アルキル多糖類のサルフェート、例えば、アルキルポリグルコシドのサルフェート（非イオン非硫酸化化合物は以下に記載）、およびアルキルポリエトキシカルボキシレート、例えば、式ＲＯ（ＣＨ２ＣＨ２Ｏ）ｋ−ＣＨ２ＣＯＯ−Ｍ＋（式中、ＲはＣ８〜Ｃ22アルキルであり、ｋは０〜１０の整数であり、Ｍは可溶性塩形成陽イオンである）のものが挙げることができる。樹脂酸および水素添加樹脂酸、例えば、ロジン、水素添加ロジン、およびトール油に存在するかトール油から誘導される樹脂酸および水素添加樹脂酸も、好適である。更に他の例は、「界面活性剤および洗剤」（シュワルツ、ペリーおよびバーチによる第Ｉ巻および第II巻）に記載されている。各種のこのような界面活性剤は、一般にローリン等に１９７５年１２月３０日発行の米国特許第３，９２９，６７８号明細書第２３欄第５８行〜第２９欄第２３行（ここに参考文献として編入）にも開示されている。
本発明で有用な１つの種類の非イオン界面活性剤は、平均親水性親油性バランス（ＨＬＢ）８〜１７、好ましくは９．５〜１４、より好ましくは１２〜１４を有する界面活性剤を与えるための疎水部分とエチレンオキシドとの縮合物である。疎水（親油）部分は、性状が脂肪族または芳香族であってもよく且つ特定の疎水基と縮合するポリオキシエチレン基の長さは、親水性エレメントと疎水性エレメントとの間の所望のバランス度を有する水溶性化合物を生成するように容易に調整できる。
この種の特に好ましい非イオン界面活性剤は、アルコール１モル当たり３〜１２モルのエチレンオキシドを含有するＣ９〜Ｃ15第一級アルコールエトキシレート、特にアルコール１モル当たり５〜８モルのエチレンオキシドを含有するＣ12〜Ｃ15第一級アルコールである。
別の種類の非イオン界面活性剤は、一般式
ＲＯ−（ＣｎＨ2nＯ）ｔＺｘ
（式中、Ｚはグルコースに由来する部分であり；Ｒは１２〜１８個の炭素原子を有する飽和アルキル疎水基であり；ｔは０〜１０であり、ｎは２または３であり；ｘは１．３〜４である）
のアルキルポリグルコシド化合物（化合物は未反応脂肪アルコール１０％未満および短鎖アルキルポリグルコシド５０％未満を包含する）からなる。この種の化合物および洗剤での用途は、ＥＰ−Ｂ第００７００７７号明細書、第００７５９９６号明細書および第００９４１１８号明細書に開示されている。
式
Ｒ２−Ｃ（Ｏ）−Ｎ（Ｒ１）−Ｚ
（式中、Ｒ１はＨであるか、Ｒ１はＣ１〜４ヒドロカルビル、２−ヒドロキシエチル、２−ヒドロキシプロピルまたはそれらの混合物であり、Ｒ２はＣ５〜31ヒドロカルビルであり、Ｚは鎖に直結された少なくとも３個のヒドロキシルを有する線状ヒドロカルビル鎖を有するポリヒドロキシヒドロカルビル、またはそのアルコキシ化誘導体である）
のポリヒドロキシ脂肪酸アミド界面活性剤は、非イオン界面活性剤として非常に好適である。好ましくは、Ｒ１はメチルであり、Ｒ２はＣ11〜15アルキルまたはアルケニル直鎖、例えば、ココナツアルキルまたはそれらの混合物であり、Ｚは還元アミノ化反応においてグルコース、フルクトース、マルトース、ラクトースなどの還元糖から誘導される。
高度に好ましい非イオン界面活性剤は、アミンオキシド界面活性剤である。本発明の組成物は、一般式Ｉ
Ｒ１（ＥＯ）ｘ（ＰＯ）ｙ（ＢＯ）ｚＮ（Ｏ）（ＣＨ２Ｒ′）２・ｑＨ２Ｏ（Ｉ）に係るアミンオキシドを含んでもよい。
一般に、構造（Ｉ）は、１個の長鎖部分Ｒ１（ＥＯ）ｘ（ＰＯ）ｙ（ＢＯ）ｚおよび２個の短鎖部分ＣＨ２Ｒ′を与えることがわかる。Ｒ′は、好ましくは水素、メチルおよび−ＣＨ２ＯＨから選ばれる。一般に、Ｒ１は、飽和または不飽和であることができる第一級または分枝ヒドロカルビル部分であり、好ましくはＲ１は第一級アルキル部分である。ｘ＋ｙ＋ｚが０である時には、Ｒ１は、約８〜約１８の鎖長を有するヒドロカルビル部分である。ｘ＋ｙ＋ｚが０とは異なる時には、Ｒ１は、若干より長くてもよく、Ｃ12〜Ｃ24の範囲内の鎖長を有する。また、一般式は、ｘ＋ｙ＋ｚ＝０、Ｒ１＝Ｃ８〜Ｃ18、Ｒ′＝Ｈ、ｑ＝０〜２、好ましくは２であるアミンオキシドを包含する。これらのアミンオキシドは、米国特許第５，０７５，５０１号明細書および第５，０７１，５９４号明細書（ここに参考文献として編入）に開示のようなＣ12〜14アルキルジメチルアミンオキシド、ヘキサデシルジメチルアミンオキシド、オクタデシルアミンオキシドおよびそれらの水和物、特に２水和物によって例示される。
また、本発明は、ｘ＋ｙ＋ｚが０とは異なり、詳細にはｘ＋ｙ＋ｚが約１〜約１０、Ｒ１が炭素数８〜約２４、好ましくは炭素数約１２〜約１６の第一級アルキル基であるアミンオキシドを包含する。これらの態様においては、ｙ＋ｚは、好ましくは０であり、ｘは好ましくは約１〜約６、より好ましくは約２〜約４であり、ＥＯはエチレンオキシを表わし、ＰＯはプロピレンオキシを表わし、ＢＯはブチレンオキシを表わす。このようなアミンオキシドは、通常の合成法により、例えば、アルキルエトキシサルフェートをジメチルアミンと反応させた後、エトキシ化アミンを過酸化水素で酸化することにより製造できる。
ここで高度に好ましいアミンオキシドは、室温で固体であり、より好ましくは融点３０℃〜９０℃を有する。ここで使用するのに好適なアミンオキシドは、アクゾ・ケミー、エチル・コーポレーション、およびプロクター・エンド・ギャンブルを含めて多数の供給者によって商業的に製造されている。別のアミンオキシド製造業者についてはマッカチェオンの編纂物およびカーク−オスマーレビュー論文参照。好ましい市販のアミンオキシドは、エチル・コーポレーションからの固体２水和物アドモックス（ADMOX）１６およびアドモックス１８、アドモックス１２および特にアドモックス１４である。
好ましい態様としては、ヘキサデシルジメチルアミンオキシド２水和物、オクタデシルジメチルアミンオキシド２水和物、ヘキサデシルトリス（エチレンオキシ）ジメチルアミンオキシドおよびテトラデシルジメチルアミンオキシド２水和物が挙げられる。
好ましい態様の或るものにおいてはＲ′はＨであるが、Ｈよりわずかに大きいＲ′を有することに関して若干の寛容度がある。詳細には、本発明は、Ｒ′がＣＨ２ＯＨである態様、例えば、ヘキサデシルビス（２−ヒドロキシエチル）アミンオキシド、タロービス（２−ヒドロキシエチル）アミンオキシド、ステアリルビス（２−ヒドロキシエチル）アミンオキシドおよびオレイルビス（２−ヒドロキシエチル）アミンオキシドを更に包含する。
本発明の洗濯洗剤組成物で使用するのに好適な陽イオン洗剤界面活性剤は、１つの長鎖ヒドロカルビル基を有するものである。このような陽イオン界面活性剤の例としては、アンモニウム界面活性剤、例えば、アルキルジメチルアンモニウムハロゲナイド、および式
〔Ｒ２（ＯＲ３）ｙ〕〔Ｒ４（ＯＲ３）ｙ〕２Ｒ５Ｎ＋Ｘ−
〔式中、Ｒ２は、アルキル鎖中に約８〜約１８個の炭素原子を有するアルキルまたはアルキルベンジル基であり、各Ｒ３は−ＣＨ２ＣＨ２−、
−ＣＨ２ＣＨ（ＣＨ３）−、−ＣＨ２ＣＨ（ＣＨ２ＯＨ）−、
−ＣＨ２ＣＨ２ＣＨ２−およびそれらの混合物からなる群から選ばれ；各Ｒ４はＣ１〜Ｃ４アルキル、Ｃ１〜Ｃ４ヒドロキシアルキル、ベンジル、２個のＲ4基を結合することによって形成された環構造、
−ＣＨ２ＣＨＯＨ−ＣＨＯＨＣＯＲ６ＣＨＯＨＣＨ２ＯＨ（式中、Ｒ６はヘキソースまたは分子量約１０００以下を有するヘキソース重合体）および水素（ｙが０ではない時）からなる群から選ばれ；Ｒ５はＲ４と同じであるかアルキル鎖であり、Ｒ２＋Ｒ５の炭素原子の合計数は約１８以下であり；各ｙは０〜約１０であり、ｙ値の和は０〜約１５であり；Ｘは相容性陰イオンである〕
を有する界面活性剤が挙げられる。
好ましい陽イオン界面活性剤は、式
Ｒ１Ｒ２Ｒ３Ｒ４Ｎ＋Ｘ−（ｉ）
〔式中、Ｒ１はＣ８〜Ｃ16アルキルであり、Ｒ２、Ｒ３およびＲ４の各々は独立にＣ１〜Ｃ４アルキル、Ｃ１〜Ｃ４ヒドロキシアルキル、ベンジル、および−（Ｃ２Ｈ４Ｏ）ｘＨ（式中、ｘは１〜５の値である）であり、Ｘは陰イオンである〕
を有する本組成物で有用な水溶性第四級アンモニウム化合物である。Ｒ２、Ｒ３またはＲ４の１個以下は、ベンジルであるべきである。
Ｒ１の好ましいアルキル鎖長は、特にアルキル基がココナツまたはパーム核脂肪に由来する鎖長の混合物であるかオレフィン増成またはオキソアルコール合成法によって合成的に誘導する場合にＣ12〜Ｃ15である。Ｒ２、Ｒ３およびＲ４に好ましい基は、メチルおよびヒドロキシエチル基であり、陰イオンＸはハライド、メトサルフェート、アセテートおよびホスフェートイオンから選んでもよい。
ここで使用するための式（ｉ）の好適な第四級アンモニウム化合物の例は、
ココナツトリメチルアンモニウムクロリドまたはブロミド、
ココナツメチルジヒドロキシエチルアンモニウムクロリドまたはブロミド、
デシルトリエチルアンモニウムクロリド、
デシルジメチルヒドロキシエチルアンモニウムクロリドまたはブロミド、
Ｃ12〜15ジメチルヒドロキシエチルアンモニウムクロリドまたはブロミド、
ココナツジメチルヒドロキシエチルアンモニウムクロリドまたはブロミド、
ミリスチルトリメチルアンモニウムメチルサルフェート、
ラウリルジメチルベンジルアンモニウムクロリドまたはブロミド、
ラウリルジメチル（エテノキシ）４アンモニウムクロリドまたはブロミド、
コリンエステル（Ｒ１が−ＣＨ２−Ｏ−Ｃ（Ｏ）−Ｃ12〜14アルキルであり、Ｒ２、Ｒ３、Ｒ４がメチルである式（ｉ）の化合物）
である。
ここで有用な他の陽イオン界面活性剤は、１９８０年１０月１４日発行のキャンバーの米国特許第４，２２８，０４４号明細書にも記載されている。
ビルダー−本発明に係る組成物は、ビルダー系を更に含んでもよい。アルミノシリケート物質、シリケート、ポリカルボキシレートおよび脂肪酸、エチレンジアミンテトラアセテートなどの物質、アミノポリホスホネートなどの金属イオン封鎖剤、特にエチレンジアミンテトラメチレンホスホン酸およびジエチレントリアミンペンタメチレンホスホン酸を含めていかなる通常のビルダー系も、ここで使用するのに好適である。自明の環境上の理由でそれ程好ましくないが、ホスフェートビルダーも、ここで使用できる。
ここで使用するのに好適なポリカルボキシレートビルダーとしては、クエン酸（好ましくは水溶性塩の形）、式Ｒ−ＣＨ（ＣＯＯＨ）ＣＨ２（ＣＯＯＨ）
（式中、ＲはＣ10〜20アルキルまたはアルケニル、好ましくはＣ12〜16であるか、Ｒはヒドロキシル、スルホスルホキシルまたはスルホン置換基で置換できる）のコハク酸の誘導体が挙げられる。特定例としては、コハク酸ラウリル、コハク酸ミリスチル、コハク酸パルミチル、コハク酸２−ドデセニル、コハク酸２−テトラデセニルが挙げられる。スクシネートビルダーは、好ましくは、ナトリウム塩、カリウム塩、アンモニウム塩およびアルカノールアンモニウム塩を含めて水溶性塩の形で使用される。
他の好適なポリカルボキシレートは、オキソジスクシネートおよびタルトレートモノコハク酸とタルトレートジコハク酸との混合物、例えば、米国特許第４，６６３，０７１号明細書に記載のものである。
特に本発明の液体実施物の場合には、ここで使用するのに好適な脂肪酸ビルダーは、飽和または不飽和Ｃ10〜18脂肪酸、並びに対応石鹸である。好ましい飽和種は、アルキル鎖中に１２〜１６個の炭素原子を有する。好ましい不飽和脂肪酸は、オレイン酸である。液体組成物に好ましい他のビルダー系は、ドデセニルコハク酸およびクエン酸をベースとする。
洗浄性ビルダー塩は、通常、組成物の３〜５０重量％、好ましくは５〜３０重量％、最も通常５〜２５重量％の量で配合する。
任意の洗剤成分−本発明の好ましい洗剤組成物は、クリーニング性能および／または布帛ケア上の利益を与える１種以上の酵素を更に含んでもよい。前記酵素としては、セルラーゼ、ヘミセルラーゼ、ペルオキシダーゼ、プロテアーゼ、グルコアミラーゼ、アミラーゼ、リパーゼ、クチナーゼ、ペクチナーゼ、キシラナーゼ、還元酵素、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼまたはそれらの混合物から選ばれる酵素が挙げられる。
好ましい組み合わせは、洗浄液１リットル当たり５０ＬＵ〜８５００ＬＵの量の脂質分解酵素変異体Ｄ９６Ｌと共にプロテアーゼ、アミラーゼ、リパーゼ、クチナーゼおよび／またはセルラーゼなどの通常の適用可能な酵素のカクテルを有する洗剤組成物である。
本発明で使用できるセルラーゼとしては、細菌セルラーゼと真菌セルラーゼとの両方が挙げられる。好ましくは、それらは、５〜９．５のｐＨ最適条件を有するであろう。好適なセルラーゼは、Humicola insolensから産生される真菌セルラーゼを開示しているバーベスゴード等の米国特許第４，４３５，３０７号明細書に開示されている。また、好適なセルラーゼは、英国特許第２．０７５．０２８号明細書、英国特許第２．０９５．２７５号明細書およびＤＥ−ＯＳ第２．２４７．８３２号明細書に開示されている。
このようなセルラーゼの例は、Humicola insolens（Humicola grisea var. thermoidea）の菌株、特にHumicola菌株ＤＳＭ１８００によって産生されたセルラーゼである。他の好適なセルラーゼは、分子量約５０ＫＤａ、等電点５．５を有し且つ４１５個のアミノ酸を含有するHumicola insolensから生ずるセルラーゼである。特に好適なセルラーゼは、カラーケア上の利益を有するセルラーゼである。このようなセルラーゼの例は、１９９１年１１月６日出願の欧州特許出願第９１２０２８７９．２号明細書（ノボ）に記載のセルラーゼである。
ペルオキシダーゼ酵素は、酸素源、例えば、ペルカーボネート、ペルボレート、ペルサルフェート、過酸化水素などと併用する。それらは、「溶液漂白」に使用され、即ち、洗浄操作時に基体から除去された染料または顔料を洗浄液中で他の基体に移動するのを防止するために使用される。ペルオキシダーゼ酵素は、技術上既知であり、例えば、ホースラディッシュ・ペルオキシダーゼ、リグニナーゼ、およびハロペルオキシダーゼ、例えば、クロロペルオキシダーゼおよびブロモペルオキシダーゼが挙げられる。ペルオキシダーゼ含有洗剤組成物は、例えば、ＰＣＴ国際出願ＷＯ第８９／０９９８１３号明細書および１９９１年１１月６日出願の欧州特許出願ＥＰ第９１２０２８８２．６号明細書に開示されている。
前記セルラーゼおよび／またはペルオキシダーゼは、通常、洗剤組成物に洗剤組成物の０．０００１〜２重量％の活性酵素の量で配合する。
好ましい市販のプロテアーゼ酵素としては、ノボ・ノルディスクＡ／Ｓ（デンマーク）によって商品名アルカラーゼ（Alcalase)、サビナーゼ（Savinase）、プリマーゼ（Primase）、ドゥラザイム（Durazym）、およびエスペラーゼ（Esperase）で販売されているもの、ギスト−ブロカーズによって商品名マキサターゼ（Maxatase）、マキサカル（Maxacal）およびマキサペム（Maxapem）で販売されているもの、ゲネンコル・インターナショナルによって販売されているもの、およびソルベイ・エンザイムズによって商品名オプチクリーン（Opticlean)およびオプチマーゼ（Optimase）で販売されているものが挙げられる。また、同時係属米国特許出願第０８／１３６，７９７号明細書に記載のプロテアーゼは、本発明の洗剤組成物に配合できる。プロテアーゼ酵素は、本発明に係る組成物に組成物の０．０００１〜２重量％の活性酵素の量で配合してもよい。
好ましいプロテアーゼ（「プロテアーゼＤ」と称する）は、Ａ．ベック等の特許出願「プロテアーゼ含有クリーニング組成物」〔１９９４年１０月１３日出願の米国特許出願第０８／３２２，６７６号明細書（全部ここに参考文献として編入）〕に記載のようにBacillus amyloliquefaciens subtilisinの番号付けに従って＋７６位に等価のカルボニルヒドロラーゼ中の位置で（好ましくはまた＋９９、＋１０１、＋１０３、＋１０４、＋１０７、＋１２３、＋２７、＋１０５、＋１０９、＋１２６、＋１２８、＋１３５、＋１５６、＋１６６、＋１９５、＋１９７、＋２０４、＋２０６、＋２１０、＋２１６、＋２１７、＋２１８、＋２２２、＋２６０、＋２６５、および／または＋２７４からなる群から選ばれるものに等価の１個以上のアミノ酸残基位置との組み合わせで）アミノ酸残基の代わりに異なるアミノ酸を使用することによって前駆物質カルボニルヒドロラーゼから誘導される自然では見出されないアミノ酸配列を有するカルボニルヒドロラーゼ変異体である。
本発明の洗剤組成物に配合できる高度に好ましい酵素としては、リパーゼが挙げられる。グリース汚れ上でのクリーニング性能は、リパーゼを使用することによって相乗的に改善されることが見出された。好適なリパーゼ酵素としては、英国特許第１，３７２，０３４号明細書に開示のようなPseudomonas stutzeri ＡＴＣＣ１９．１５４などのPseudomonas群の微生物によって産生されるものが挙げられる。好適なリパーゼとしては、微生物Pseudomonas fluorescens ＩＡＭ１０５７によって産生されるリパーゼの抗体との正免疫交差反応を示すものが挙げられる。このリパーゼは、日本の名古屋のアマノ・ファルマセウティカル株式会社から商品名リパーゼＰ「アマノ（Amano）」で入手できる（以下「アマノ−Ｐ」と称する）。更に他の好適なリパーゼは、Ｍ１リパーゼＲ、リポマックス（LipomaxＲ）（ギスト−ブロカーズ）などのリパーゼである。高度に好ましいリパーゼは、米国特許出願第０８／３４１，８２６号明細書に記載のようにHumicola lanuginosaに由来する未変性リパーゼのＤ９６Ｌ脂質分解酵素変異体である。好ましくは、Humicola lanuginosa菌株ＤＳＭ４１０６が使用される。この酵素は、本発明に係る組成物に洗浄液１リットル当たり５０ＬＵ〜８５００ＬＵの量で配合する。好ましくは、変異体Ｄ９６Ｌは、洗浄液１リットル当たり１００ＬＵ〜７５００ＬＵの量、より好ましくは洗浄液１リットル当たり１５０ＬＵ〜５０００ＬＵの量で存在する。
Ｄ９６Ｌ脂質分解酵素変異体とは、特許出願ＷＯ第９２／０５２４９号明細書に記載のようなリパーゼ変異体（即ち、９６位のアスパラギン酸（Ｄ）残基がロイシン（Ｌ）に変化したHumicola lanuginosaからの未変性リパーゼ）を意味する。この命名法によれば、９６位におけるアスパラギン酸のロイシンへの前記置換は、Ｄ９６Ｌと示される。
また、特殊な種類のリパーゼとみなすことができるクチナーゼ〔ＥＣ３．１．１．５０〕、即ち、界面活性化を必要としないリパーゼは、好適である。クチナーゼの洗剤組成物への添加は、例えば、ＷＯ−Ａ第８８／０９３６７号明細書（ゲネンコル）に記載されている。
リパーゼおよび／またはクチナーゼは、通常、洗剤組成物に洗剤組成物の０．０００１〜２重量％の活性酵素の量で配合する。
アミラーゼ（αおよび／またはβ）は、炭水化物をベースとするしみの除去のために配合できる。好適なアミラーゼは、ターマミル（TermamylＲ）（ノボ・ノルディスク）、フンガミル（FungamylＲ）およびバン（BANＲ）（ノボ・ノルディスク）である。
前記酵素は、植物、動物、細菌、真菌、酵母起源などのいかなる好適な起源も有していてもよい。
前記酵素は、通常、洗剤組成物に洗剤組成物の０．０００１〜２重量％の活性酵素の量で配合する。
添加できる他の好適な洗剤成分は、１９９２年１月３１日に出願の同時係属欧州特許出願第９２８７００１８．６号明細書に記載されている酵素酸化捕捉剤である。このような酵素酸化捕捉剤の例は、エトキシ化テトラエチレンポリアミンである。
洗剤組成物で使用する他の成分、例えば、汚れ沈殿防止剤、防汚重合体、研磨剤、殺細菌剤、曇り抑制剤、着色剤、制泡剤、腐食抑制剤および他の香料は、使用してもよい。
防汚剤−当業者に既知のいかなる防汚剤も、本発明の実施で使用できる。好ましい高分子防汚剤は、ポリエステル、ナイロンなどの疎水性繊維の表面を親水化するための親水性セグメントと、疎水性繊維上に付着し且つ洗浄およびすすぎサイクルの完了を通して接着したままであり、このように親水性セグメント用錨として役立つための疎水性セグメントとの両方を有することによって特徴づけられる。このことは、防汚剤での処理後に生ずるしみを後の洗浄法でより容易にクリーニングすることを可能にすることができる。
有用な防汚重合体は、ニコル等に１９７６年１２月２８日に発行の米国特許第４，０００，０９３号明細書、クッド等による１９８７年４月２２日公開の欧州特許出願第０２１９０４８号明細書、ヘイズに１９７６年５月２５日発行の米国特許第３，９５９，２３０号明細書、バサダーに１９７５年７月８日発行の米国特許第３，８９３，９２９号明細書、ゴッセリンクに１９８７年１０月２７日発行の米国特許第４，７０２，８５７号明細書、ゴッセリンク等に１９８７年１２月８日発行の米国特許第４，７１１，７３０号明細書、ゴッセリンクに１９８８年１月２６日発行の米国特許第４，７２１，５８０号明細書、ゴッセリンクに１９８７年１０月２７日発行の米国特許第４，７０２，８５７号明細書、マルドナド等に１９８９年１０月３１日発行の米国特許第４，８７７，８９６号明細書に記載されている。これらの特許のすべてをここに参考文献として編入する。
利用するならば、防汚剤は、一般に、本発明の洗剤組成物の約０．０１〜約１０．０重量％、典型的には約０．１〜約５重量％、好ましくは約０．２〜約３．０重量％を占めるであろう。
キレート化剤−また、本発明の洗剤組成物は、ビルダー補助物質として、１種以上の鉄／マンガンキレート化剤を場合によって含有していてもよい。このようなキレート化剤は、以下に定義のようなアミノカルボキシレート、アミノホスホネート、多官能置換芳香族キレート化剤およびそれらの混合物からなる群から選ぶことができる。理論によって制限しようとするものではないが、これらの物質の利益は、一部分、可溶性キレートの生成によって鉄およびマンガンイオンを洗浄液から除去する格別の能力によると考えられる。
利用するならば、これらのキレート化剤は、一般に、本発明の洗剤組成物の約０．１〜約１０重量％を占めるであろう。より好ましくは、キレート化剤は、このような組成物の約０．１〜約３．０重量％を占めるであろう。
粘土汚れ除去／再付着防止剤−本発明の組成物は、場合によって、粘土汚れ除去性および再付着防止性を有する水溶性エトキシ化アミンも含有できる。これらの化合物を含有する液体洗剤組成物は、典型的には、約０．０１％〜５％を含有する。
最も好ましい防汚剤／再付着防止剤は、エトキシ化テトラエチレンペンタミンである。例示のエトキシ化アミンは、１９８６年７月１日発行のバンダーミールの米国特許第４，５９７，８９８号明細書（ここに参考文献として編入）に更に記載されている。別の群の好ましい粘土汚れ除去／再付着防止剤は、１９８４年６月２７日公開のオーおよびゴッセリンクの欧州特許出願第１１１，９６５号明細書（ここに参考文献として編入）に開示の陽イオン化合物である。使用できる他の粘土汚れ除去／再付着防止剤としては、１９８４年６月２７日公開のゴッセリンクの欧州特許出願第１１１，９８４号明細書に開示のエトキシ化アミン重合体；１９８４年７月４日公開のゴッセリンクの欧州特許出願第１１２，５９２号明細書に開示の双性重合体；および１９８５年１０月２２日発行のコナーの米国特許第４，５４８，７４４号明細書に開示のアミンオキシドが挙げられる（それらのすべてをここに参考文献として編入）。
技術上既知の他の粘土汚れ除去剤および／または再付着防止剤も、本組成物で利用できる。別の種類の好ましい再付着防止剤としては、カルボキシメチルセルロース（ＣＭＣ）物質が挙げられる。
高分子分散剤−高分子分散剤は、有利には、本組成物で利用できる。これらの物質は、カルシウムおよびマグネシウム硬度制御を助長できる。技術上既知の他のものも使用できるが、好適な高分子分散剤としては、高分子ポリカルボキシレートおよびポリエチレングリコールが挙げられる。本組成物は、一般に、高分子分散剤０％〜約５％を含むであろう。
ここで使用するのに好適な高分子分散剤は、１９６７年３月７日発行のディールの米国特許第３，３０８，０６７号明細書、および１９８２年１２月１５日公開の欧州特許出願第６６９１５号明細書（両方ともここに参考文献として編入）に記載されている。
増白剤−技術上既知のいかなる好適な光学増白剤または他の増白剤または白化剤も、本発明の洗剤組成物に配合できる。本組成物は、一般に、増白剤約０％〜約５％を含むであろう。
本発明で有用であることがある市販の光学増白剤は、サブグループに分類でき、サブグループとしては、必ずしも限定しないが、スチルベン、ピラゾリン、クマリン、カルボン酸、メチンシアニン、ジベンゾチオフェン−５，５−ジオキシド、アゾール、５員環および６員環複素環式化合物の誘導体、および他の雑多な薬剤が挙げられる。このような増白剤の例は、「蛍光増白剤の生産および応用」、Ｍ．ザーラドニック、ニューヨークのジョン・ウィリー・エンド・サンズ発行（１９８２）（その開示をここに参考文献として編入）に開示されている。
抑泡剤−泡の形成を減少するか抑制するための既知であるか知られるようになる化合物は、本発明の組成物に配合できる。好適な抑泡剤は、Kirk Othmer Encyclopedia of Chemical Technology、第３版、第７巻、第４３０頁〜第４４７頁（ジョン・ウィリー・エンド・サンズ・インコーポレーテッド、１９７９）、セント・ジョンに１９６０年９月２７日発行の米国特許第２，９５４，３４７号明細書、ガンドルフォ等に１９８１年５月５日発行の米国特許第４，２６５，７７９号明細書、ガンドルフォ等に１９８１年５月５日発行の米国特許第４，２６５，７７９号明細書、および１９９０年２月７日公開の欧州特許出願第８９３０７８５１．９号明細書、米国特許第３，４５５，８３９号明細書、独国特許出願ＤＯＳ第２，１２４，５２６号明細書、バルトロッタ等の米国特許第３，９３３，６７２号明細書および１９８７年３月２４日発行のバギンスキー等の米国特許第４，６５２，３９２号明細書に記載されている。すべてをここに参考文献として編入する。
本組成物は、一般に、抑泡剤０％〜約５％を含むであろう。
他の成分−本組成物は、他の香料成分、例えば、アルデヒド、ケトン、アルコールおよびエステルも含有してもよい。それらは、パリーによりＰ．ブラキストンズ・サン・エンド・カンパニー発行のパリーのCyclopedia of Perfumary（１９２５）第Ｉ巻および第II巻、そしてまたベドウキアンによりエルスビア・パブリッシング・カンパニー発行のPerfumary and Flavoring Synthetics（１９６７）に記載されている。
洗剤組成物で有用な各種の他の成分、例えば、他の活性成分、担体、ハイドロトロープ、加工助剤、染料または顔料、液体処方物用溶媒、漂白剤、漂白活性剤、酵素安定化系などが、本組成物に配合できる。
液体組成物−本発明の洗濯洗剤組成物は、好ましくは、粒状組成物の場合には、２０℃の水中の１０％溶液中のｐＨ約５〜約１２、より好ましくは約８〜約１２を有する。
液体洗剤組成物は、担体として水および他の溶媒を含有できる。メタノール、エタノール、プロパノール、およびイソプロパノールによって例示される低分子量第一級または第二級アルコールが、好適である。一価アルコールが界面活性剤を可溶化するのに好ましいが、ポリオール、例えば、２〜約６個の炭素原子および２〜約６個のヒドロキシ基を含有するもの（例えば、プロピレングリコール、エチレングリコール、グリセリン、および１，２−プロパンジオール）も、使用できる。
本発明の好ましい液体洗濯洗剤組成物は、好ましくは、水性クリーニング操作での使用時に、洗浄水がｐＨ約６．５〜約１１．０、好ましくは約７．０〜８．５を有するように処方されるであろう。本発明の液体洗剤組成物は、好ましくは、２０℃の水中の１０％溶液中のｐＨ約６．５〜１１．０、好ましくは７．０〜８．５を有する。ｐＨを推奨使用レベルに制御するための技術は、緩衝剤、アルカリ、酸などの使用を包含し、当業者に周知である。
好ましくは、本発明に係る液体組成物は、「濃縮形」である。このような場合には、本発明に係る液体洗剤組成物は、通常の液体洗剤と比較して少量の水を含有するであろう。水の量は、洗剤組成物の５０重量％未満、好ましくは３０重量％未満である。
前記濃縮製品は、少量で使用できる製品を有する消費者に対し、低い輸送コストを有する製造業者に対し利点を与える。
液体組成物は、前処理工程で汚れおよびしみに直接適用する時に特に有効である。
本発明の洗剤組成物は、洗剤添加剤製品としても使用できる。このような添加剤製品は、通常の洗剤組成物の性能を補完または増進しようとするものである。
本発明に係る洗剤組成物としては、布帛、繊維、硬質表面、皮膚などの基体のクリーニングに使用すべきである組成物、例えば、硬質表面クリーニング組成物（研磨剤有無）、洗濯洗剤組成物、自動および非自動皿洗い組成物が挙げられる。
下記の実施例は、本発明の組成物を例示するものである。ここで使用するすべての部、％および比率は、特に断らない限り、重量基準である。
実施例Ｉ
「新鮮な柑橘類」香料を下記の成分を使用して調製する。
0003886532.tif 000002
そのほかに、この香料は、特にアミン界面活性剤が存在する時に、洗剤組成物で有用である。香料は、洗剤組成物の約０．０１〜約１重量％の量で使用できる。
ドデカヒドロ−３ａ，６，６，９Ａ−テトラメチルナフト（２，１−Ｂ）フランを等量の下記の成分の１種以上に取り替える。３，３−ジメチル−５−（２，２，３−トリメチル−３−シクロペンテン−１−イル）−４−ペンテノール、メチルヨノン、イソ酪酸シス−３−ヘキセニル、ウンデカラクトン、フェニル酢酸フェニルエチル、ｏ−ヒドロキシ安息香酸ヘキシル、およびそれらの混合物。
実施例II
「新鮮な」香料を下記の成分を使用して調製する。
0003886532.tif 000003
そのほかに、この香料は、特にアミン界面活性剤が存在する時に、洗剤組成物で有用である。香料は、洗剤組成物の約０．０１〜約１重量％の量で使用できる。
実施例III〜VIII
下記の液体洗剤組成物を調製する。
0003886532.tif 000004
香料Ａは、等量の香料Ｂに取り替えてもよい。
Ｃ10アミドプロピルジメチルアミンは、等量の下記のアミンに取り替える。オクチルアミン、ヘキシルアミン、デシルアミン、ドデシルアミン、Ｃ８〜Ｃ12ビス（ヒドロキシエチル）アミン、Ｃ８〜Ｃ12ビス（ヒドロキシイソプロピル）アミン、およびＣ８、Ｃ９、Ｃ11またはＣ12アミドプロピルジメチルアミン、および混合物。
下記の酵素を使用する。プロテアーゼ、リパーゼ、アミラーゼ、セルラーゼ、ペルオキシダーゼ、およびそれらの混合物。
0003886532.tif 000005
Ｃ10アミドプロピルジメチルアミンは、等量の下記のアミンに取り替える。オクチルアミン、ヘキシルアミン、デシルアミン、ドデシルアミン、Ｃ８〜Ｃ12ビス（ヒドロキシエチル）アミン、Ｃ８〜Ｃ12ビス（ヒドロキシイソプロピル）アミン、およびＣ８、Ｃ９、Ｃ11またはＣ12アミドプロピルジメチルアミン、および混合物。
下記の酵素を使用する。プロテアーゼ、リパーゼ、アミラーゼ、セルラーゼ、ペルオキシダーゼ、およびそれらの混合物。
香料Ａは、等量の香料Ｂに取り替えてもよい。
0003886532.tif 000006
香料Ａは、等量の香料Ｂに取り替えてもよい。
アミンは、等量の下記のアミンに取り替える。ヘキシルアミン、デシルアミン、ドデシルアミン、Ｃ８〜Ｃ12ビス（ヒドロキシエチル）アミン、Ｃ８〜Ｃ12ビス（ヒドロキシイソプロピル）アミン、およびＣ８〜11アミドプロピルジメチルアミン、および混合物。
下記の酵素を使用する。プロテアーゼ、リパーゼ、アミラーゼ、セルラーゼ、ペルオキシダーゼ、およびそれらの混合物。
0003886532.tif 000007
香料Ｂは、等量の香料Ａに取り替えてもよい。
Ｃ12ビス（ヒドロキシエチル）アミンは、等量の下記のアミンに取り替える。オクチルアミン、ヘキシルアミン、デシルアミン、ドデシルアミン、Ｃ８〜Ｃ11ビス（ヒドロキシエチル）アミン、Ｃ８〜Ｃ12ビス（ヒドロキシイソプロピル）アミン、およびＣ８〜12アミドプロピルジメチルアミン、および混合物。
下記の酵素を使用する。プロテアーゼ、リパーゼ、アミラーゼ、セルラーゼ、ペルオキシダーゼ、およびそれらの混合物。
前記実施例におけるすべての洗剤組成物は、上で配合した香料成分を含有しない等しい処方物と比較して、有意に減少されたアミン悪臭を有する。